(57)【要約】【課題】単一の調光制御信号を用いて、照明器具全体として発する光の色温度を可変とする。【解決手段】調光信号生成回路１５は、信号値に応じて光源の光出力を変化させるよう命令する調光制御信号３１を生成する。制御回路１６は、調光制御信号３１と同位相の非反転制御信号３２を生成するとともに、調光制御信号３２を反転した反転制御信号３３を生成する。第一光源１７は、例えば色温度が５０００Ｋの光源であり、第二光源１９は、例えば色温度が３０００Ｋの光源である。第一点灯回路１８は、非反転制御信号３２に応じた明るさに対応する電流を、第一光源１７に供給する。第二点灯回路２０は、反転制御信号３３に応じた明るさに対応する電流を、第二光源１９に供給する。調光制御信号３１の信号値は、操作部１４にて手動で調節される。【選択図】図１
2011187181.tif 000002
【特許請求の範囲】
【請求項１】
信号値に応じて光源の光出力を変化させるよう命令する調光制御信号を生成する調光信号生成回路から、当該調光制御信号を受信する信号受信部と、
前記信号受信部により受信された調光制御信号に一定の変換処理を施して、当該調光制御信号と異なる信号値をもつ変換信号を生成する信号変換部と、
少なくとも１つの第一光源を点灯させる第一点灯回路に対し、前記信号受信部により受信された調光制御信号を入力して、当該調光制御信号の信号値に応じて前記少なくとも１つの第一光源の光出力を変化させるよう制御する第一制御部と、
少なくとも１つの第二光源を点灯させる第二点灯回路に対し、前記信号変換部により生成された変換信号を入力して、当該変換信号の信号値に応じて前記少なくとも１つの第二光源の光出力を変化させるよう制御する第二制御部とを備えることを特徴とする制御装置。
【請求項２】
前記信号変換部は、前記変換処理として、前記信号受信部により受信された調光制御信号の信号値を反転させる処理を施すことを特徴とする請求項１に記載の制御装置。
【請求項３】
前記信号受信部は、前記調光制御信号として、信号値に応じて光源の光出力を所定量増加させるよう命令する信号を受信し、
前記信号変換部は、前記変換信号として、信号値に応じて光源の光出力を前記所定量減少させるよう命令する信号を生成することを特徴とする請求項１又は２に記載の制御装置。
【請求項４】
前記信号受信部は、前記調光制御信号として、信号値に応じて光源の光出力を所定量減少させるよう命令する信号を受信し、
前記信号変換部は、前記変換信号として、信号値に応じて光源の光出力を前記所定量増加させるよう命令する信号を生成することを特徴とする請求項１又は２に記載の制御装置。
【請求項５】
前記第一制御部は、前記少なくとも１つの第一光源として、第一色温度の光を発する少なくとも１つの第一光源を点灯させる第一点灯回路に対し、前記信号受信部により受信された調光制御信号を入力し、
前記第二制御部は、前記少なくとも１つの第二光源として、前記第一色温度と異なる第二色温度の光を発する少なくとも１つの第二光源を点灯させる第二点灯回路に対し、前記信号変換部により生成された変換信号を入力することを特徴とする請求項１から４までのいずれかに記載の制御装置。
【請求項６】
請求項３又は４に記載の制御装置と、
前記所定量を手動で調節するための操作部とを備えることを特徴とする照明器具。
【発明の詳細な説明】
【技術分野】
【０００１】
本発明は、制御装置及び照明器具に関するものである。また、本発明は、照明制御システムに関するものである。
【背景技術】
【０００２】
従来、互いに異なる色温度の光を発する２種類の光源を備えた照明器具において、当該２種類の光源それぞれの調光制御をすることで、照明器具全体として発する光の色温度を可変とするものがある（例えば、特許文献１〜３参照）。
【先行技術文献】
【特許文献】
【０００３】
【特許文献１】特開２００５−１５３６０６号公報
【特許文献２】特開２００９−２０６２４６号公報
【特許文献３】国際公開第２００９／１０１７１８号
【発明の概要】
【発明が解決しようとする課題】
【０００４】
従来技術において、照明器具全体として発する光の色温度を可変とするためには、光源ごとに調光制御をしなければならず、複数の調光制御信号が必要とされるという課題があった。
【０００５】
本発明は、例えば、単一の調光制御信号を用いて、照明器具全体として発する光の色温度を可変とすることを目的とする。
【課題を解決するための手段】
【０００６】
本発明の一の態様に係る制御装置は、
信号値に応じて光源の光出力を変化させるよう命令する調光制御信号を生成する調光信号生成回路から、当該調光制御信号を受信する信号受信部と、
前記信号受信部により受信された調光制御信号に一定の変換処理を施して、当該調光制御信号と異なる信号値をもつ変換信号を生成する信号変換部と、
少なくとも１つの第一光源を点灯させる第一点灯回路に対し、前記信号受信部により受信された調光制御信号を入力して、当該調光制御信号の信号値に応じて前記少なくとも１つの第一光源の光出力を変化させるよう制御する第一制御部と、
少なくとも１つの第二光源を点灯させる第二点灯回路に対し、前記信号変換部により生成された変換信号を入力して、当該変換信号の信号値に応じて前記少なくとも１つの第二光源の光出力を変化させるよう制御する第二制御部とを備えることを特徴とする。
【発明の効果】
【０００７】
本発明の一の態様によれば、単一の調光制御信号を用いて、照明器具全体として発する光の色温度を可変とすることが可能となる。
【図面の簡単な説明】
【０００８】
【図１】実施の形態１に係る照明制御システムの構成を示すブロック図である。
【図２】実施の形態１に係る制御回路の構成を示すブロック図である。
【図３】実施の形態１に係る調光制御信号と、非反転制御信号及び反転制御信号との関係を示す図である。
【図４】実施の形態１に係る調光制御信号と、非反転制御信号及び反転制御信号との関係を示す図である。
【図５】実施の形態１に係る調光器の調光設定と、光出力及び色温度との関係を示す図である。
【図６】実施例１に係る照明制御システムの構成を示すブロック図である。
【図７】実施例２に係る照明制御システムの構成を示すブロック図である。
【図８】実施の形態２に係る照明制御システムの構成を示すブロック図である。
【図９】実施例３に係る照明制御システムの構成を示すブロック図である。
【図１０】実施例４に係る照明制御システムの構成を示すブロック図である。
【発明を実施するための形態】
【０００９】
以下、本発明の実施の形態について、図を用いて説明する。
【００１０】
実施の形態１．
図１は、本実施の形態に係る照明制御システム１０の構成を示すブロック図である。
【００１１】
図１において、照明制御システム１０は、商用電源ＡＣが供給される調光器１１（混色器）と、この調光器１１に制御通信線１２（信号線）で接続され、商用電源ＡＣが供給される照明器具１３とを備える。
【００１２】
調光器１１は、操作部１４と調光信号生成回路１５と制御回路１６（制御装置の例）とを備える。調光信号生成回路１５は、操作部１４の操作に応じてＤＵＴＹ比（以下では、主にオンデューティで表す）が変更されるＰＷＭ（パルス幅変調）信号からなる調光制御信号３１を生成する回路である。調光制御信号３１は、信号値に応じて光源の光出力を変化させるよう命令する信号である。本実施の形態では、操作部１４の操作により、調光制御信号３１を、信号値に応じて光源の光出力を所定量（操作部１４にて手動で調節された量）増加又は減少させるよう命令する信号とすることができる。制御回路１６は、調光信号生成回路１５が生成する調光制御信号３１を入力し、この調光制御信号３１と同位相の非反転制御信号３２を生成するとともに、調光制御信号３１を反転した反転制御信号３３を生成する回路である。
【００１３】
操作部１４は、つまみ部を有する可変抵抗（回転可動するボリューム）からなる。調光信号生成回路１５は、操作部１４の可変抵抗の抵抗値に応じたＤＵＴＹ比となるＰＷＭ信号を調光制御信号３１として生成する。このＰＷＭ信号は、例えば、１ｋＨｚ、１００Ｈｚ又はその他の周波数の信号であり、例えば、オンデューティが５％〜９５％の間で変更される。制御回路１６は、調光制御信号３１を入力し、入力した調光制御信号３１そのままの非反転制御信号３２と、入力した調光制御信号３１を反転して生成される反転制御信号３３とを出力する。
【００１４】
照明器具１３は、第一光源１７と、この第一光源１７に電力を供給する第一点灯回路１８と、第二光源１９と、この第二光源１９に電力を供給する第二点灯回路２０とを備える。
【００１５】
第一光源１７は、例えば色温度が５０００Ｋの光源であり、第二光源１９は、第一光源１７の色温度（第一色温度）と異なる色温度（第二色温度）の光源、例えば色温度が３０００Ｋの光源である。第一光源１７及び第二光源１９は、それぞれ少なくとも１つあればよい。即ち、第一光源１７及び第二光源１９が１つずつあってもよいし、それぞれ複数あってもよい。また、第一光源１７及び第二光源１９が異なる数あってもよい。第一点灯回路１８は、制御回路１６が出力する非反転制御信号３２を入力し、この非反転制御信号３２に応じた明るさに対応する電流を、第一光源１７に供給する。これにより、第一点灯回路１８は、非反転制御信号３２の信号値に応じた光出力にて第一光源１７を点灯させる。第二点灯回路２０は、制御回路１６が出力する反転制御信号３３を入力し、この反転制御信号３３に応じた明るさに対応する電流を、第二光源１９に供給する。これにより、第二点灯回路２０は、反転制御信号３３の信号値に応じた光出力にて第二光源１９を点灯させる。
【００１６】
図２は、制御回路１６の構成を示すブロック図である。
【００１７】
図２において、制御回路１６は、信号受信部４１と信号変換部４２と第一制御部４３と第二制御部４４とを備える。
【００１８】
信号受信部４１は、調光信号生成回路１５から調光制御信号３１を受信する。
【００１９】
信号変換部４２は、信号受信部４１により受信された調光制御信号３１に一定の変換処理を施して、調光制御信号３１と異なる信号値をもつ変換信号を生成する。本実施の形態において、信号変換部４２は、上記変換処理として、信号受信部４１により受信された調光制御信号３１の信号値を反転させる処理を施して反転制御信号３３を生成する。
【００２０】
本実施の形態において、信号受信部４１は、調光制御信号３１として、信号値に応じて光源の光出力を所定量（操作部１４にて手動で調節された量）増加させるよう命令する信号を受信することがある（ここでは、例えば光源が光出力７０％で点灯中のときにオンデューティ９５％の調光制御信号３１を受信したような場合も、実質的には光出力を２５％増加させるよう命令する信号を受信しているものと考える）。この場合、信号変換部４２は、変換信号として、信号値に応じて光源の光出力を当該所定量（例えば２５％）減少させるよう命令する信号を生成する。また、本実施の形態において、信号受信部４１は、調光制御信号３１として、信号値に応じて光源の光出力を所定量（操作部１４にて手動で調節された量）減少させるよう命令する信号を受信することがある（ここでは、例えば光源が光出力３０％で点灯中のときにオンデューティ５％の調光制御信号３１を受信したような場合も、実質的には光出力を２５％減少させるよう命令する信号を受信しているものと考える）。この場合、信号変換部４２は、変換信号として、信号値に応じて光源の光出力を当該所定量（例えば２５％）増加させるよう命令する信号を生成する。
【００２１】
第一制御部４３は、第一点灯回路１８に対し、信号受信部４１により受信された調光制御信号３１を入力する（ここでは、調光制御信号３１と同位相の非反転制御信号３２を入力する場合も、実質的には調光制御信号３１を入力しているものと考える）。これにより、第一制御部４３は、第一点灯回路１８が調光制御信号３１（非反転制御信号３２）の信号値に応じて第一光源１７の光出力を変化させるよう制御する。
【００２２】
第二制御部４４は、第二点灯回路２０に対し、信号変換部４２により生成された変換信号を入力する（例えば、変換信号として反転制御信号３３を入力する）。これにより、第二制御部４４は、第二点灯回路２０が変換信号（反転制御信号３３）の信号値に応じて第二光源１９の光出力を変化させるよう制御する。
【００２３】
図３及び図４は、調光制御信号３１と、非反転制御信号３２及び反転制御信号３３との関係を示す図であり、図５は、調光器１１の調光設定と、光出力及び色温度との関係を示す図である。
【００２４】
図３において、例えば、操作部１４のつまみ部が左側（反時計回り）に目一杯回されたとき、調光信号生成回路１５は、第一光源１７が１００％で点灯するような調光制御信号３１（例えば、オンデューティ９５％）を生成する。また、例えば、操作部１４のつまみ部が右側（時計回り）に目一杯回されたとき、調光信号生成回路１５は、第一光源１７が最も暗い明るさ（例えば、光出力５％）で点灯するような調光制御信号３１（例えば、オンデューティ５％）を生成する。
【００２５】
図４において、例えば、調光信号生成回路１５が生成する調光制御信号３１がオンデューティ５％のとき、制御回路１６は、オンデューティ５％の非反転制御信号３２と、オンデューティ９５％の反転制御信号３３とを生成する。
【００２６】
なお、調光制御信号３１、非反転制御信号３２、反転制御信号３３として、図３に示したような矩形波のＰＷＭ信号ではなく、ＰＦＭ（パルス周波数変調）信号等、他の種類の波形をもつ信号を用いてもよい。
【００２７】
また、調光制御信号３１として、リーダ部（ヘッダ）、データ部（ペイロード）、ストップ部（フッタ）等からなるデータ（フレーム）を載せた信号や正弦波を位相制御した信号等、他の種類の信号を用いてもよい。この場合、調光信号生成回路１５や制御回路１６は、その信号の種類に応じて構成される（例えば、マイコン）。制御回路１６は、受信した調光制御信号３１を解析し、同等の信号を生成して第一点灯回路１８に入力するとともに、相反する信号を生成して第二点灯回路２０に変換信号として入力する。例えば、調光制御信号３１が光源を光出力７０％で点灯させるよう命令するデータを載せた信号であれば、制御回路１６は、同様に光源を光出力７０％で点灯させるよう命令するデータ（即ち、同等のデータ）を載せた信号を生成して第一点灯回路１８に入力する。それと同時に、制御回路１６は、光源を光出力３０％で点灯させるよう命令するデータ（即ち、相反するデータ）を載せた信号を生成して第二点灯回路２０に変換信号として入力する。このとき、制御回路１６において、信号変換部４２は、上記変換処理として、信号受信部４１により受信された調光制御信号３１に載せられたデータの値（例えば、光出力７０％）を、相反する値（例えば、光出力１００％との差分、即ち、光出力３０％）のデータに変換する処理を施して変換信号を生成する。
【００２８】
また、制御回路１６において、信号変換部４２は、上記以外の変換処理を施して、調光制御信号３１と相反する信号（例えば、反転制御信号３３）以外の変換信号を生成してもよい。変換信号は調光制御信号３１と異なる信号値をもつ信号であるため、第二制御部４４は、第一光源１７にて光出力の変化を起こさせるのと同時に、第二光源１９にて第一光源１７と異なる光出力の変化を起こさせることができる。例えば、信号変換部４２が、変換信号として、調光制御信号３１の信号値の所定倍の信号値をもつ信号を生成すれば、第二制御部４４は、第二光源１９にて第一光源１７の光出力の変化を当該所定倍した光出力の変化を起こさせることができる。あるいは、信号変換部４２が、変換信号として、調光制御信号３１の信号値と所定差のある信号値をもつ信号を生成すれば、第二制御部４４は、第二光源１９にて第一光源１７の光出力の変化から当該所定差のある光出力の変化を起こさせることができる。
【００２９】
図５において、例えば、制御回路１６が生成する非反転制御信号３２がオンデューティ５％のとき、第一点灯回路１８は、第一光源１７を光出力５％で点灯させる。このとき、制御回路１６が生成する反転制御信号３３はオンデューティ９５％となるため、第二点灯回路２０は、第二光源１９を光出力１００％で点灯させる。その結果、照明器具１３全体として発する光の色温度は、第二光源１９から発せられる光の色温度と略同じ色温度（例えば、３０００Ｋ）に調整される。また、例えば、制御回路１６が生成する非反転制御信号３２がオンデューティ９５％のとき、第一点灯回路１８は、第一光源１７を光出力１００％で点灯させる。このとき、制御回路１６が生成する反転制御信号３３はオンデューティ５％となるため、第二点灯回路２０は、第二光源１９を光出力５％で点灯させる。その結果、照明器具１３全体として発する光の色温度は、第一光源１７から発せられる光の色温度と略同じ色温度（例えば、５０００Ｋ）に調整される。
【００３０】
このように、第一点灯回路１８は、非反転制御信号３２に基づいて第一光源１７の明るさを制御し、第二点灯回路２０は、反転制御信号３３に基づいて第二光源１９の明るさを制御する。つまり、第一光源１７と第二光源１９は、第一光源１７の明るさが明るいとき、第二光源１９の明るさが暗くなる関係にある。第一光源１７から発せられる光と、第二光源１９から発せられる光は、例えば、居室等の被照射物を照射する。被照射物を照射する際、第一光源１７から発せられる光と、第二光源１９から発せられる光は混合される。この混合された光の色温度は、第一光源１７の明るさが明るいときは、第一光源１７が発する色温度（例えば、５０００Ｋ）に近づき、第二光源１９の明るさが明るいときは、第二光源１９が発する色温度（例えば、３０００Ｋ）に近づく。ここで、第一光源１７と第二光源１９は、第一光源１７が明るいときは第二光源１９が暗くなり、第一光源１７が暗いときは第二光源１９が明るくなる関係にあるので、混合された光の光出力（照度）は略一定である。
【００３１】
第一点灯回路１８及び第二点灯回路２０は、非反転制御信号３２又は反転制御信号３３によって、明るさを制御する際、第一光源１７及び第二光源１９を消灯状態とせず、最小の明るさで点灯を維持することが望ましい。これは、第一光源１７及び第二光源１９を消灯状態から点灯状態へ移行する際、０％から徐々に明るくするのは困難なためである。具体的には、第一光源１７及び第二光源１９を消灯状態から点灯状態にするとき、第一点灯回路１８及び第二点灯回路２０を制御する制御回路１６等を動作開始させるため、光出力が例えば０％から３％まで一気に移行してしまい、明るさの変化に段ができてしまう。上記のように、第一光源１７及び第二光源１９を消灯させることなく、最小の明るさ（制御回路１６等の特性によって決まる）で点灯を維持させることで、明るさの変化に段ができるのを防止することができる。
【００３２】
このように、本実施の形態では、単一の調光制御信号３１に基づいて、色温度の異なる２つの光源の明るさを調整するようにしたので、照明器具１３全体としての明るさを略一定にするとともに、色温度を可変にすることができる。
【００３３】
従来技術のように、複数の調光制御信号に基づいて、色温度の異なる光源の明るさを調整しようとすると、互いの光源の明るさ（光出力）のバランスが取れるように調整するための回路が別途必要となり、調光調光制御信号を生成する回路の構成が複雑になるおそれがある。これに対し、本実施の形態では、単一の調光制御信号３１に基づいて、色温度の異なる２つの光源の明るさを調整するようにしたので、色温度の異なる光源の明るさのバランス調整が容易となる。
【００３４】
なお、ＤＵＴＹ比は、オンデューティとオフデューティとの組み合わせで決定される。よって、ここでは、オンデューティと光出力（色温度）との関係を説明したが、オフデューティが変わっても、光出力（色温度）が変わるのは、自明であるから、オフデューティと光出力（色温度）との関係については説明を省略する。
【００３５】
以下、本実施の形態の具体例（実施例）について、図を用いて説明する。
【００３６】
実施例１．
ここでは、第一点灯回路１８、第二点灯回路２０、第一光源１７、第二光源１９の具体例を示す。
【００３７】
図６は、本実施例に係る照明制御システム１０の構成を示すブロック図である。
【００３８】
図６において、照明器具１３は、第一点灯回路１８と、第二点灯回路２０と、第一光源１７及び第二光源１９が実装される光源モジュール２１とを備える。
【００３９】
第一光源１７は、例えば色温度が５０００ＫのＬＥＤである第一ＬＥＤ２２を複数直列接続した第一ＬＥＤ群からなる。第二光源１９は、例えば色温度が３０００ＫのＬＥＤである第二ＬＥＤ２３を複数直列接続した第二ＬＥＤ群からなる。光源モジュール２１は、第一ＬＥＤ群を構成する第一ＬＥＤ２２と、第二ＬＥＤ群を構成する第二ＬＥＤ２３とを１つずつ交互に略直線状に配置している。なお、光源モジュール２１において、第一ＬＥＤ２２と第二ＬＥＤ２３とは複数単位で（例えば２つずつ）交互に配置されてもよいし、第一ＬＥＤ２２と第二ＬＥＤ２３とのうち一方が１つずつ、他方が複数単位（例えば２つずつ）交互に配置されてもよい。また、光源モジュール２１において、第一ＬＥＤ２２と第二ＬＥＤ２３とはマトリックス状に配置されてもよいし、リング状あるいはその他の形状をなすように配置されてもよい。
【００４０】
第一点灯回路１８は、調光信号入力部２４と電流値設定部２５と定電流出力部２６とを備える。調光信号入力部２４は、非反転制御信号３２を入力する。電流値設定部２５は、調光信号入力部２４が入力した信号に基づいて電流値を設定する。定電流出力部２６は、電流値設定部２５が設定する電流値に基づいて、接続された第一ＬＥＤ群に電流を流す。
【００４１】
第二点灯回路２０も、第一点灯回路１８と同様に、調光信号入力部２４と電流値設定部２５と定電流出力部２６とを備える。第二点灯回路２０の場合、調光信号入力部２４は、反転制御信号３３を入力する。電流値設定部２５は、調光信号入力部２４が入力した信号に基づいて電流値を設定する。定電流出力部２６は、電流値設定部２５が設定する電流値に基づいて、接続された第二ＬＥＤ群に電流を流す。
【００４２】
このように、本実施例では、光源モジュール２１に、第一ＬＥＤ群を構成する第一ＬＥＤ２２と第二ＬＥＤ群を構成する第二ＬＥＤ２３を交互に配置することで、第一ＬＥＤ２２が発する光の色である第一光色と、第二ＬＥＤ２３が発する光の色である第二光色との混合がしやすくなる。
【００４３】
実施例２．
ここでは、第二光源１９の他の具体例を示す。
【００４４】
図７は、本実施例に係る照明制御システム１０の構成を示すブロック図である。
【００４５】
図７において、第一光源１７は、実施例１と同様に、例えば色温度が５０００ＫのＬＥＤである第一ＬＥＤ２２を複数直列接続した第一ＬＥＤ群からなる。第二光源１９は、実施例１と同様に、例えば色温度が３０００ＫのＬＥＤである第二ＬＥＤ２３を複数直列接続した第二ＬＥＤ群からなる。このとき、第二ＬＥＤ群を構成する第二ＬＥＤ２３の特性上、第二ＬＥＤ２３に第一ＬＥＤ２２と同じ電流を流しても、第一ＬＥＤ２２の光出力に対して、第二ＬＥＤ２３の光出力は８０％程度となる。これは、ＬＥＤの蛍光体によって、色温度を調整しているためで、現状では色温度が低くなるほど光出力特性が悪くなる傾向にある。これを補填するため、本実施例では、第二ＬＥＤ群を構成する第二ＬＥＤ２３の個数を、第一ＬＥＤ群を構成する第一ＬＥＤ２２の個数よりも多くしている。つまり、光出力が低い側のＬＥＤの個数を増やすことで、トータルの光出力を高めている。
【００４６】
本実施例では、実施例１と同様に、第一ＬＥＤ群を構成する第一ＬＥＤ２２と、第二ＬＥＤ群を構成する第二ＬＥＤ２３とを交互に略直線状に配置して光源モジュール２１を構成しているが、第一ＬＥＤ群を構成する第一ＬＥＤ２２の数に比べ、第二ＬＥＤ群を構成する第二ＬＥＤ２３の数を多くするので、第二ＬＥＤ群を構成する第二ＬＥＤ２３を両端に配置することができる。したがって、光源モジュール２１は、色温度の配列を左右対称とすることができる。つまり、光源モジュール２１の両端を同色（同色温度）とすれば、左右対称の光色の照明器具１３を提供することができる。
【００４７】
また、第一点灯回路１８及び第二点灯回路２０それぞれに定電流出力部２６を備えているので、第一ＬＥＤ群又は第二ＬＥＤ群を構成するＬＥＤの数を変更しても、それぞれのＬＥＤに流れる電流は略同一にすることができ、ＬＥＤの数に比例した光出力を発生させることができる。つまり、ＬＥＤの明るさは流れる電流に比例するが、定電流を流す回路を用いて、直列接続しているＬＥＤ群を点灯させれば、ＬＥＤの個数を増やして光出力を増加させることができる。
【００４８】
実施の形態２．
本実施の形態について、主に実施の形態１との差異を説明する。
【００４９】
実施の形態１では、制御回路１６が調光器１１に組み込まれているが、本実施の形態では、制御回路１６が照明器具１３に組み込まれている。
【００５０】
図８は、本実施の形態に係る照明制御システム１０の構成を示すブロック図である。
【００５１】
図８において、照明制御システム１０は、調光器１１と、この調光器１１に制御通信線１２で接続される照明器具１３とを備える。
【００５２】
調光器１１は、操作部１４と、この操作部１４に接続される調光信号生成回路１５とを備える。
【００５３】
照明器具１３は、制御回路１６と第一点灯回路１８及び第二点灯回路２０と第一光源１７及び第二光源１９とを備える。制御回路１６は、調光信号生成回路１５と制御通信線１２を介して接続される。第一点灯回路１８及び第二点灯回路２０は、制御回路１６に接続される。第一光源１７及び第二光源１９は、第一点灯回路１８及び第二点灯回路２０にそれぞれ接続される。
【００５４】
このように、本実施の形態では、制御回路１６を照明器具１３に組み込むことによって、調光器１１と照明器具１３とを接続する制御通信線１２の本数を少なくすることができる。また、調光器１１として従来のものを利用することができる。
【００５５】
以下、本実施の形態の具体例（実施例）について、図を用いて説明する。
【００５６】
実施例３．
ここでは、第一光源１７、第二光源１９の具体例を示す。
【００５７】
図９は、本実施例に係る照明制御システム１０の構成を示すブロック図である。
【００５８】
図９において、照明器具１３は、制御回路１６と、第一点灯装置２７と、第二点灯装置２８と、光源モジュール２１とを備える。
【００５９】
第一点灯装置２７には、第一点灯回路１８が実装される。第二点灯装置２８には、第二点灯回路２０が実装される。
【００６０】
光源モジュール２１には、第一光源１７（第一ＬＥＤ群）と、第二光源１９（第二ＬＥＤ群）とが実装される。光源モジュール２１にて、第一ＬＥＤ群を構成する第一ＬＥＤ２２と、第二ＬＥＤ群を構成する第二ＬＥＤ２３とは１つずつ交互に略直線状に配置される。なお、実施例１の説明で述べたように、光源モジュール２１において、第一ＬＥＤ２２と第二ＬＥＤ２３との配置の態様はこれに限るものではない。
【００６１】
本実施例では、制御回路１６と、第一点灯装置２７及び第二点灯装置２８とを別体としているので、第一点灯装置２７及び第二点灯装置２８として、他の照明器具（例えば、色温度が固定の照明器具）に組み込まれている汎用的な点灯装置（汎用部品）を利用することができる。
【００６２】
実施例４．
ここでは、制御回路１６を第一点灯回路１８及び第二点灯回路２０と同じモジュールに組み込んだ例を示す。
【００６３】
図１０は、本実施例に係る照明制御システム１０の構成を示すブロック図である。
【００６４】
図１０において、照明器具１３は、点灯装置２９と、この点灯装置２９に接続される光源モジュール２１とを備える。
【００６５】
点灯装置２９は、制御回路１６と、第一点灯回路１８と、第二点灯回路２０とを備える。
【００６６】
本実施例では、点灯装置２９に、制御回路１６と、第一点灯回路１８と、第二点灯回路２０とを一体的に備えているので、照明器具１３全体として構成部品を少なくでき、製造工程での工数を少なくすることができる。
【００６７】
以上、本発明の実施の形態（実施例）について説明したが、これらのうち、２つ以上の実施の形態（実施例）を組み合わせて実施しても構わない。あるいは、これらのうち、１つの実施の形態（実施例）を部分的に実施しても構わない。あるいは、これらのうち、２つ以上の実施の形態（実施例）を部分的に組み合わせて実施しても構わない。
【符号の説明】
【００６８】
１０  照明制御システム、１１  調光器、１２  制御通信線、１３  照明器具、１４  操作部、１５  調光信号生成回路、１６  制御回路、１７  第一光源、１８  第一点灯回路、１９  第二光源、２０  第二点灯回路、２１  光源モジュール、２２  第一ＬＥＤ、２３  第二ＬＥＤ、２４  調光信号入力部、２５  電流値設定部、２６  定電流出力部、２７  第一点灯装置、２８  第二点灯装置、２９  点灯装置、３１  調光制御信号、３２  非反転制御信号、３３  反転制御信号、４１  信号受信部、４２  信号変換部、４３  第一制御部、４４  第二制御部、ＡＣ  商用電源。
【図１】
2011187181.tif 000003
【図２】
2011187181.tif 000004
【図３】
2011187181.tif 000005
【図４】
2011187181.tif 000006
【図５】
2011187181.tif 000007
【図６】
2011187181.tif 000008
【図７】
2011187181.tif 000009
【図８】
2011187181.tif 000010
【図９】
2011187181.tif 000011
【図１０】
2011187181.tif 000012